(57)【特許請求の範囲】
【請求項１】
遮水シートの接合部分を検査する遮水シート接合検査装置において、
箱体本体及び当該箱体本体に交換可能に取り付けられる２つの対向する側板部を有して構成され且つ前記遮水シートの接合部分に面して配置される一つの開口面が設けられる、内部を透視可能に透明な被覆体と、
前記箱体本体に設けられる空気吸引孔と接続し、前記被覆体内部の空気を吸引して負圧状態とする真空ポンプと、
前記被覆体内部の負圧状態を測定して表示する測定表示装置とを備え、
前記側板部は、平面形状が矩形状であって前記開口面を囲む周縁の一部を形成する周縁部分は直線状に形成される第１の側板部、平面形状が矩形形状であって前記開口面を囲む周縁の一部を形成する周縁部分が凹んだ円弧曲線状に形成される第２の側板部、または、平面形状がコの字状であって前記開口面を囲む周縁の一部を形成する周縁部分が矩形状に凹んだ形状に形成される第３の側板部のいずれか２つであることを特徴とする遮水シート接合検査装置。
【請求項２】
前記測定表示装置は、内部が負圧状態の前記被覆体の圧力値を測定し、前記圧力値が所定の基準値に達すると、時間のカウントを開始することを特徴とする請求項１に記載の遮水シート接合検査装置。
【請求項３】
前記測定表示装置は、前記圧力値が前記基準値に達している状態を通報する表示を行うことを特徴とする請求項２に記載の遮水シート接合検査装置。
【請求項４】
前記測定表示装置は、前記圧力値が前記基準値に達している状態でカウントされた時間が所定時間経過すると、当該時間経過を通報する表示を行うことを特徴とする請求項２または３に記載の遮水シート接合検査装置。
【請求項５】
前記測定表示装置は、測定される前記圧力値及びカウントされる時間を表示することを特徴とする請求項２乃至４のいずれかに記載の遮水シート接合検査装置。
【発明の詳細な説明】
【技術分野】
【０００１】
本発明は、廃棄物処分場や中間貯蔵施設などの施設で遮水工事が施工される箇所（遮水工施工部）に敷設される遮水シートの接合部の接合不良の有無を検査する遮水シート接合検査装置に関する。
【背景技術】
【０００２】
廃棄物処分場や中間貯蔵施設などの施設で遮水工事が施工される箇所（遮水工施工部）には、人工的な遮水層を設置するために遮水シートが敷設される。広大な処分場は、多数枚の遮水シートにより被覆され、敷設工事では、隣接する遮水シート同士は融着または溶着処理により水密状態で接合される。遮水シートの敷設後、遮水シート同士の接合不良による漏水の有無を確認する検査が行われる。
【０００３】
遮水シートの接合部分の接合検査は、例えば、特許文献１の手法によれば、「遮水シート接合部における遮水シート同士の重ね合わせ間に２つの接合層を間隔をあけて接合部の長手方向に並列に設置介在させることによって気密性を確保した通路を形成し、この通路内を減圧し、減圧後の通路内の圧力の変動を検知することにより遮水シート接合部の欠陥を検査する」（請求項１）ことによって行うことができる。
【０００４】
また、特許文献２は、負圧方式による接合検査方法を提案する。具体的には、特許文献２の手法によれば、遮水シートの接合部分の接合検査は、「防水シートの被検査箇所に石けん水を塗布するともに、少なくとも一部を透明体で形成したキャップで被検査箇所を覆い、該キャップ内の空気を真空ポンプで吸引して所定の負圧状態にし、前記石けん水の泡立ちの有無により欠陥の有無を判別する」（請求項１）ことによって行うことができる。負圧方式による接合検査方法は、例えば、特許文献２−５においても提案されている。
【先行技術文献】
【特許文献】
【０００５】
【特許文献１】特開平１０−６７０５０号公報
【特許文献２】特開昭６１−１７５５４０号公報
【特許文献３】特開平７−２８０６８９号公報
【特許文献４】特開平１０−３０７０７２号公報
【特許文献５】特開２００１−３３３４２号公報
【発明の概要】
【発明が解決しようとする課題】
【０００６】
上記負圧方式による接合検査方法は、被検査箇所を密閉して覆う透明の箱体の内部を負圧に減圧するため、箱体を被検査箇所である遮水シートの接合部分の周囲に隙間なく密着して設置し、通気を遮断する必要がある。
【０００７】
しかしながら、遮水シートは、遮水工事が施工される例えば廃棄物処分場の底面や法面などの平坦な部分に敷設されるのみならず、該処分場に付帯する排水用の管や管を固定するための構造物など凹凸形状を含むさまざまな形状部分をも覆うように敷設される。従来の箱体では、このような凹凸のある部分に敷設された遮水シートの接合部分に密着させて配置して精度良く接合検査を行うことは困難であった。
【０００８】
そこで、本発明は、このような課題に着目してなされたもので、廃棄物処分場などの施設における遮水工施工部の各部位のさまざまな形状に対応して正確かつ効率的に遮水シートの接合検査を実施可能とする遮水シート接合検査装置を提供することを目的とする。
【課題を解決するための手段】
【０００９】
上記目的を達成するための本発明の遮水シート接合検査装置は、遮水シートの接合部分の接合不良の有無を検査する遮水シート接合検査装置であって、箱体本体及び当該箱体本体に交換可能に取り付けられる２つの対向する側板部を有して構成され且つ前記遮水シートの接合部分に面して配置される一つの開口面が設けられる、内部を透視可能に透明な被覆体と、前記箱体本体に設けられる空気吸引孔と接続し、前記被覆体内部の空気を吸引して負圧状態とする真空ポンプと、前記被覆体内部の負圧状態を測定して表示する測定表示装置とを備え、前記側板部は、平面形状が矩形状であって前記開口面を囲む周縁の一部を形成する周縁部分は直線状に形成される第１の側板部、平面形状が矩形形状であって前記開口面を囲む周縁の一部を形成する周縁部分が凹んだ円弧曲線状に形成される第２の側板部、または、平面形状がコの字状であって前記開口面を囲む周縁の一部を形成する周縁部分が矩形状に凹んだ形状に形成される第３の側板部のいずれか２つであることを特徴とする。
【００１１】
さらに、前記測定表示装置は、内部が負圧状態の前記被覆体の圧力値を測定し、前記圧力値が所定の基準値に達すると、時間のカウントを開始する。前記測定表示装置は、前記圧力値が前記基準値に達している状態を通報する表示を行う。前記測定表示装置は、前記圧力値が前記基準値に達している状態でカウントされた時間が所定時間経過すると、当該時間経過を通報する表示を行う。前記測定表示装置は、測定される前記圧力値及びカウントされる時間を表示する。
【発明の効果】
【００１２】
本発明の遮水シート接合検査装置によれば、異なる形状を有する側板部を交換可能に取り付けて被覆体を構成するようにすることで、廃棄物処分場などの施設における遮水工施工部の各部位のさまざまな形状に対応して、正確かつ効率的に接合検査を実施できるようになる。測定表示装置は、圧力の基準値に達してから自動的に時間をカウントするようにすることで、効率的に接合検査を行うことが可能となる。
【図面の簡単な説明】
【００１３】
【図１】本発明の実施の形態における遮水シート接合検査装置の全体構成を示すブロック図である。
【図２】遮水シート接合検査装置を構成する被覆体１０の第１の構成例を示す図である。
【図３】第１の構成例における被覆体１０が遮水シート上に配置された状態を模式的に示す図である。
【図４】遮水シート接合検査装置を構成する被覆体１０の第２の構成例を示す図である。
【図５】第２の構成例における被覆体１０が遮水シート上に配置された状態を模式的に示す図である。
【図６】遮水シート接合検査装置を構成する被覆体１０の第３の構成例を示す図である。
【図７】第３の構成例における被覆体１０が遮水シート上に配置された状態を模式的に示す図である。
【図８】遮水シート接合検査装置を構成する測定表示装置４０の構成を表すブロック図である。
【図９】表示部４８の表示画面の例を示す図である。
【図１０】測定表示装置４０の検査制御処理を示すフローチャートである。
【発明を実施するための形態】
【００１４】
以下、図面を参照して本発明の実施の形態について説明する。しかしながら、かかる実施の形態例が、本発明の技術的範囲を限定するものではない。
【００１５】
図１は、本発明の実施の形態における遮水シート接合検査装置の全体構成を示すブロック図である。遮水シート接合検査装置は、被検査箇所である遮水シートの接合部分に被せれられる被覆体１０と、その被覆体１０とホース２０を介して接続する真空ポンプ３０と、被覆体１０内部の圧力を計測する測定表示装置４０とを備えて構成される。
【００１６】
被覆体１０は、遮水シートの接合部分に面して配置される一つの開口面を有する透明な箱体であって、ホース２０が接続される吸引口１０ａと測定表示装置４０との接続口１０ｂとが設けられる。ホース２０は、その一端が被覆体１０の吸引口１０ａに接続され、他端は真空ポンプ３０と接続する蛇腹式の吸引ダクトである。真空ポンプ３０は、商用電源を利用する装置又はバッテリ駆動式のどちらでもよい。測定表示装置４０は、被覆体１０の接続口１０ｂに接続され、被覆体１０内部の圧力を測定するとともに、時間カウントを伴う検査制御を実行する。
【００１７】
遮水シート接合検査装置は、負圧方式の検査を行う装置であって、遮水シートの被検査箇所に石けん水を塗布するともに、被覆体１０で検査対象部位を覆い密閉し、該被覆体１０内部の空気を真空ポンプ３０で吸引して所定の負圧状態にし、石けん水の泡立ちの有無を目視で確認して、遮水シートの接合部分の欠陥の有無を判別する。
【００１８】
図２は、遮水シート接合検査装置を構成する被覆体１０の第１の構成例を示す図である。被覆体１０は、透明アクリル樹脂板で形成され、開口面を囲む周縁には密着部材１１が例えば接着剤によって取り付けられている。密着部材１１は、本実施の形態例において、スポンジ部材であり、例えばEPDMスポンジ（硬度８）用いられる。
【００１９】
本実施の形態における被覆体１０は、箱体本体１２と、その箱体本体１２に交換可能に取り付けられる１対の２つの対向する側板部１４とによって形成される。図２（ａ）は、箱体本体１２に側板部１４が取り付けられた状態を示し、図２（ｂ）は箱体本体１２から側板部１４が取り外された状態を示す図である。２つの側板部１４は、ビスなどの結合手段により箱体本体１２に取り付けられ（図２（ａ））、また、ビスを取り外して箱体１２から側板部１４を取り外すことができる（図２（ｂ））。後述するように、異なる形状を有する側板部１４が複数用意され、側板部１４を箱体本体１２に対してビスで取り付け・取り外し可能とすることで、側板部１４を簡単に交換することができる。
【００２０】
箱体本体１２に吸引孔１０ａ及び接続口１０ｂが設けられ、２つの側板部１４を箱体本体１２に取り付けることで、被覆体１０が形成される。第１の構成例における２つの側板部１４の平面形状は４辺直線の矩形であり、開口面を囲む周縁の一部を形成する周縁部分１４ａは直線状に形成され、箱体本体１２における開口面を囲む周縁の一部を形成する周縁部分１２ａと連続して同一面を形成するように取り付けられて開口面を形成し、平坦部分における遮水シートに密着するように配置される。箱体本体１２の周縁部分１２ａ及び側板部１４の周縁部分１４ａには、密着部材１１、好ましくはスポンジ部材が取り付けられる。
【００２１】
図３は、第１の構成例における被覆体１０が遮水シート上に配置された状態を模式的に示す図であって、被覆体１０は、平坦部に敷設された遮水シート上に密着して配置される。図３（ａ）は被覆体１０を正面から見た模式図、図３（ｂ）は被覆体１０を上面から見た模式図である。
【００２２】
なお、第１の構成例は、例えば廃棄物処分場や中間貯蔵施設などの施設の遮水工施工部である平坦部分に敷設された遮水シートの接合部分の接合検査に対応するための形状であって、側板部１４は、開口面を囲む周縁の一部を形成する周縁部分１４ａが直線であればよく、例えば、側板部１４の平面形状は半円形状などであってもよい。この場合、箱体本体１２も側板部１４の平面形状に合わせてドーム状に形成される。
【００２３】
図４は、遮水シート接合検査装置を構成する被覆体１０の第２の構成例を示す図である。図４（ａ）は、箱体本体１２に側板部１４が取り付けられた状態を示し、図４（ｂ）は箱体本体１２から側板部１４が取り外された状態を示す図である。第２の構成例における被覆体１０は、第１の構成例と比較して、側板部１４の形状が異なる。すなわち、２つの側板部１４の平面形状は矩形を基本とし、開口面を囲む周縁の一部を形成する周縁部分１４ａは、平坦面に対応した直線ではなく、凹んだ円弧曲線状に形成される。周縁部分１４ａは、箱体本体１２における開口面を囲む周縁の一部を形成する周縁部分１２ａと連続して形成するように取り付けられて開口面を形成し、管の外周面に敷設された遮水シートの接合部分に密着するように配置される。管は、例えば廃棄物処分場に設置される排水管などであり、周縁部分１４ａは、遮水シートが周囲に敷設された排水管の形状に合わせて密着可能とするように、その外径及び曲率に合わせた円弧曲線とする。
【００２４】
図５は、第２の構成例における被覆体１０が遮水シート上に配置された状態を模式的に示す図であって、被覆体１０は、配管に巻かれるように敷設された遮水シートに密着して配置される。図５（ａ）は被覆体１０を正面から見た模式図、図５（ｂ）は被覆体１０を上面から見た模式図である。
【００２５】
第２の構成例は、管の外周に敷設された遮水シートの接合部分の接合検査に対応するための形状であって、側板部１４は、開口面を囲む周縁の一部を形成する周縁部分１４ａが円弧曲線であればよく、例えば、側板部１４の平面形状は半円形状であって、箱体本体１２も側板部１４の平面形状に合わせてドーム状に形成されてもよい。
【００２６】
図６は、遮水シート接合検査装置を構成する被覆体１０の第３の構成例を示す図である。図６（ａ）は、箱体本体１２に側板部１４が取り付けられた状態を示し、図６（ｂ）は箱体本体１２から側板部１４が取り外された状態を示す図である。第３の構成例における被覆体１０は、第２の構成例と比較して、側板部１４の一方の形状が異なる。すなわち、２つの側板部１４の一方は、その周縁部分１４ａが円弧状に凹んで形成され、側板部１４の他方は、その平面形状はコの字状であり、開口面を囲む周縁の一部を形成する周縁部分１４ａは、矩形状に凹んだ形状に形成される。周縁部分１４ａは、箱体本体１２における開口面を囲む周縁の一部を形成する周縁部分１２ａと連続して形成するように取り付けられて開口面を形成し、コンクリートブロックのような構造物の外周面に敷設された遮水シートの接合部分に密着するように配置される。構造物は、例えば、廃棄物処分場に設置される排水管を固定するためのコンクリートブロックなどであり、周縁部分１４ａは、遮水シートが周囲に敷設されたコンクリートブロックの壁に押し当てられて密着するように、側板部１４の側面に密着部材１１（スポンジ部材）が取り付けられる。
【００２７】
図７は、第３の構成例における被覆体１０が遮水シート上に配置された状態を模式的に示す図であって、被覆体１０は、一方の側板部１４が配管に巻かれた遮水シートに密着して配置され、他方の側板部１４が配管を支持するコンクリートブロックの壁に押し当てられて配置される。図５（ａ）は被覆体１０を正面から見た模式図、図５（ｂ）は被覆体１０を上面から見た模式図である。
【００２８】
第３の構成例は、直方体の構造物に敷設された遮水シートの接合部分の接合検査に対応するための形状であって、側板部１４は、開口面を囲む周縁の一部を形成する周縁部分１４ａが矩形に凹んだ形状であればよく、例えば、側板部１４の平面形状は半円形状であって、箱体本体１２も側板部１４の平面形状に合わせてドーム状に形成されてもよい。
【００２９】
本実施の形態例における被覆体１０は、上述したように、異なる形状を有する側板部１４を箱体本体１２交換可能に取り付けられる構造としたので、平坦部に限らず、遮水シートが敷設されたさまざまな形状の部位に対して接合検査を行うことができる。
【００３０】
図８は、遮水シート接合検査装置を構成する測定表示装置４０の構成を表すブロック図である。測定表示装置４０は、負圧を測定できる圧力計４２、時間を測定するタイマ４４、制御部４６及び表示部４８を備えて構成される。
【００３１】
図９は、表示部４８の表示画面の例を示す図である。表示部４８は、例えばタッチパネル式の液晶画面であって、圧力計４２で測定された圧力値、タイマ４４で測定する時間、さらには、所定の段階に達したことを示す色付きの点灯表示（例えば、緑ランプ表示や赤ランプ表示）などの情報が表示される。
【００３２】
圧力計４２は、被覆体１０の接続口１０ｂと接続し、被覆体１０内部の圧力を測定する。制御部４６は、圧力計４２により計測される被覆体１０内部の圧力値を取得し、タイマ４４を動作させて時間測定を行い、以下の検査制御を実行する。
【００３３】
図１０は、測定表示装置４０の検査制御処理を示すフローチャートである。遮水シートの接合部分の接合検査を行うために、作業者は、検査対象部位に石けん水を塗布し、その検査対象部位に被覆体１０をかぶせ、被覆体１０内部を密閉状態とする。そして、作業者は、被覆体１０内部を負圧にするよう被覆体１０に接続している真空ポンプ３０を動作させる。
【００３４】
測定表示装置４０の制御部４６は、圧力計４２から取得する圧力値が、所定の基準値に達したかどうか判定する（Ｓ１００）。所定の基準値は、例えば-6.7ｋPaの負圧値である。
【００３５】
制御部４６は、所定の基準値に達したことを検知すると、表示部４８の緑ランプを点灯させ（Ｓ１０２）、タイマ４４による時間カウントを開始する（Ｓ１０４）。カウントされる時間は例えば１０秒である。
【００３６】
制御部４６は、タイマ４４による時間カウントを行っている間、圧力計４２の圧力値が所定の基準値以下であるか判定する（Ｓ１０６）。時間カウントを行っている間、圧力値が基準値以下でなくなってしまった場合は、タイマ４４による時間カウントをリセットし（Ｓ１０８）、再度圧力値が基準値に達したかどうか判断する処理Ｓ１００に戻る。
【００３７】
圧力値が基準値以下の状態を維持しながらカウント時間が所定時間に達すると（Ｓ１１０）、表示部４８の赤ランプを点灯させ（Ｓ１１２）、所定のカウント時間の経過を知らせる。
【００３８】
作業者は、緑ランプ表示から赤ランプ表示までの間、透明の被覆体１０で覆われている検査対象部位から泡の発生の有無を目視で確認する。泡の発生が確認された場合は、接合不良ありと判断され、泡の発生が確認されなかった場合は、接合不良なしと判断される。作業者は、緑ランプ表示を見ることで、負圧の圧力値が所定の基準値以下であることを容易に確認することができ、また、赤ランプ表示により、泡発生の有無を確認する時間も容易に確認することができ、検査の作業効率が向上する。
【００３９】
本発明は、上記の実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００４０】
１０：被覆体、１０ａ：吸引孔、１０ｂ：接続口、１１：密着部材、１２：箱体本体、１２ａ：周縁部分、１４：側板部、１４ａ：周縁部分、２０：ホース、３０：真空ポンプ、４０：測定表示装置、４２：圧力計、４４：タイマ、４６：制御部、４８：表示部
【要約】
【課題】正確かつ効率的に遮水シートの接合検査を実施可能とする遮水シート接合検査装置を提供する。
【解決手段】遮水シートの接合部分を検査する遮水シート接合検査装置は、箱体本体及び当該箱体本体に交換可能に取り付けられる２つの対向する側板部を有して構成され且つ遮水シートの接合部分に面して配置される一つの開口面が設けられる、内部を透視可能に透明な被覆体と、その箱体本体に設けられる空気吸引孔と接続し、被覆体内部の空気を吸引して負圧状態とする真空ポンプと、被覆体内部の負圧状態を測定して表示する測定表示装置とを備え、側板部は、異なる平面形状を有する複数種類の側板部のうちの少なくとも１つである。
【選択図】図１【図１】
0006829490.tif 000002
【図２】
0006829490.tif 000003
【図３】
0006829490.tif 000004
【図４】
0006829490.tif 000005
【図５】
0006829490.tif 000006
【図６】
0006829490.tif 000007
【図７】
0006829490.tif 000008
【図８】
0006829490.tif 000009
【図９】
0006829490.tif 000010
【図１０】
0006829490.tif 000011